(57)【要約】  広帯域無線通信システムにおけるプリアンブル送信が提供される。前記プリアンブル送信方法は、送信帯域幅によって前記プリアンブルとしてのシーケンスを決定する過程と、前記プリアンブルの送信に使用される多数の送信アンテナに前記シーケンスに含まれるサブブロックを割り当てる際、各アンテナに割り当てられるサブブロックの個数が連続した２個の整数の範囲に属するように割り当てる過程と、前記サブブロックの割当結果に応じて前記多数の送信アンテナを介して前記プリアンブルを送信する過程を含む。
2013514712.tif 000002
【特許請求の範囲】
【請求項１】
無線通信システムにおけるプリアンブルの送信方法において、
送信帯域幅によって前記プリアンブルとしてのシーケンスを決定する過程と、
前記プリアンブルの送信に使用される多数の送信アンテナに前記シーケンスに含まれるサブブロックを割り当てる際、各アンテナ別割り当てられるサブブロックの個数が連続した２個の整数の範囲に属するように割り当てる過程と、
前記サブブロックの割当結果に応じて、前記多数の送信アンテナを介して前記プリアンブルを送信する過程と、を含むことを特徴とする方法。
【請求項２】
前記サブブロックを割り当てる過程は、
各アンテナ別サブブロックの個数を決定する過程と、
前記各アンテナ別サブブロックの位置を決定する過程と、を含むことを特徴とする請求項１に記載の方法。
【請求項３】
前記シーケンスを決定する過程は、
前記送信帯域幅が最小の正規チャンネル帯域幅である場合、前記最小の正規チャンネル帯域幅のためのサブブロックを前記プリアンブルとしてのシーケンスとして決定する過程と、
前記送信帯域幅が前記最小の正規チャンネル帯域幅ではない正規チャンネル帯域幅である場合、最小帯域幅のためのサブブロックを少なくとも１回反復する構造を有するシーケンスを前記プリアンブルとしてのシーケンスとして決定する過程と、
前記送信帯域幅が非正規チャンネル帯域幅である場合、前記送信帯域幅より大きい最小の正規チャンネル帯域幅のためのシーケンスから最外郭帯域に位置する一部のサブブロックを除外させることで前記プリアンブルとしてのシーケンスを決定する過程と、を含むことを特徴とする請求項１に記載の方法。
【請求項４】
前記プリアンブルを送信する前に、前記プリアンブルにＰＡＰＲを減少させるためのカバーリングシーケンスをかける過程を更に含むことを特徴とする請求項１に記載の方法。
【請求項５】
無線通信システムにおけるプリアンブルの受信方法において、
第１プリアンブルを利用してチャンネル帯域幅を判断する過程と、
前記チャンネル帯域幅によって第２プリアンブルのシーケンスに含まれるサブブロックの個数を決定する過程と、
前記第１プリアンブルを利用して獲得した時間同期及び前記サブブロックの個数によって前記第２プリアンブルを受信する過程と、を含むことを特徴とする方法。
【請求項６】
送信端のアンテナ個数情報を獲得する過程と、
前記送信端の各アンテナに割り当てられた第２プリアンブルのサブブロックの個数及び位置を判断する過程と、を更に含むことを特徴とする請求項５に記載の方法。
【請求項７】
無線通信システムにおけるプリアンブルを送信する送信端装置において、
送信帯域幅によって前記プリアンブルとしてのシーケンスを決定する生成機と、
前記プリアンブルの送信に使用される多数の送信アンテナに前記シーケンスに含まれるサブブロックを割り当てる際、各アンテナ別割り当てられるサブブロックの個数が連続した２個の整数の範囲に属するように割り当てる割当機と、
前記サブブロックの割当結果に応じて、前記多数の送信アンテナを介して前記プリアンブルを送信する送信機と、を含むことを特徴とする装置。
【請求項８】
前記割当機は、各アンテナ別サブブロックの個数を決定し、前記各アンテナ別サブブロックの位置を決定することを特徴とする請求項７に記載の装置。
【請求項９】
前記生成機は、
前記送信帯域幅が最小の正規チャンネル帯域幅である場合、前記最小の正規チャンネル帯域幅のためのサブブロックを前記プリアンブルとしてのシーケンスとして決定し、
前記送信帯域幅が前記最小の正規チャンネル帯域幅ではない正規チャンネル帯域幅である場合、最小帯域幅のためのサブブロックを少なくとも１回反復する構造を有するシーケンスを前記プリアンブルとしてのシーケンスとして決定し、
前記送信帯域幅が非正規チャンネル帯域幅である場合、前記送信帯域幅より大きい最小の正規チャンネル帯域幅のためのシーケンスから最外郭帯域に位置する一部のサブブロックを除外させることで前記プリアンブルとしてのシーケンスを決定することを特徴とする請求項７に記載の装置。
【請求項１０】
前記プリアンブルを送信する前に、前記プリアンブルにＰＡＰＲを減少させるためのカバーリングシーケンスをかけるカバーリング処理機を更に含むことを特徴とする請求項７に記載の装置。
【請求項１１】
無線通信システムにおけるプリアンブルを受信する受信端装置において、
第１プリアンブルを利用してチャンネル帯域幅を判断し、前記チャンネル帯域幅によって第２プリアンブルのシーケンスに含まれるサブブロックの個数を決定する制御部と、
前記第１プリアンブルを利用して獲得した時間同期及び前記サブブロックの個数によって前記第２プリアンブルを受信する受信機と、を含むことを特徴とする装置。
【請求項１２】
前記制御部は、送信端のアンテナ個数情報を獲得した後、前記送信端の各アンテナに割り当てられた第２プリアンブルのサブブロックの個数及び位置を判断することを特徴とする請求項１１に記載の装置。
【請求項１３】
前記各アンテナ別サブブロックの個数は、下記数式に応じて決定されることを特徴とする請求項２、請求項６、請求項８、請求項１２のうち一項に記載の方法又は装置。
【数１】
2013514712.tif 000007
ここで、前記Ｎｓｔ，ｋはアンテナｋに割り当てられるサブブロックの個数、前記Ｎｓｊは非正規チャンネル帯域幅のための総サブブロックの個数、前記Ｎｔは送信アンテナの個数、前記ｋはアンテナインデックスを意味し、前記ｋは０，１，…，Ｎｔ−１の値を有する。
【請求項１４】
前記各アンテナ別サブブロックの位置は、前記多数の送信アンテナそれぞれに連続して位置するサブブロックが割り当てられるように決定されることを特徴とする請求項２、請求項８のうち一項に記載の方法又は装置。
【請求項１５】
前記各アンテナ別サブブロックの位置は、下記数式によって決定されることを特徴とする請求項６、請求項１２のうち一項に記載の方法又は装置。
【数２】
2013514712.tif 000008
ここで、ｔは０乃至Ｎｓｔ，ｋ−１の範囲の整数、前記Ｎｓｔ，ｊはアンテナｉに割り当てられたサブブロックを個数を意味し、Ｎｓｔ，−１は０である。
【請求項１６】
前記プリアンブルは、セル識別子を区分するための信号であることを特徴とする請求項１又は請求項１４に記載の方法又は装置。
【請求項１７】
前記サブブロックそれぞれは、長さ１８のＱＰＳＫシーケンスで構成されることを特徴とする請求項１又は請求項１４に記載の方法又は装置。
【発明の詳細な説明】
【技術分野】
【０００１】
本発明は、広帯域無線通信システムに関するものである。特に、本発明は、広帯域無線通信システムにおけるセル識別子を区分するためのＳＡプリアンブル（Ｓｅｃｏｎｄａｒｙ  Ａｄｖａｎｃｅｄ  Ｐｒｅａｍｂｌｅ）を送信するための装置及びその方法に関するものである。
【背景技術】
【０００２】
近年、高速の移動通信のために数多くの無線通信技術がその候補として提案されており、そのうちＯＦＤＭ（Ｏｒｔｈｏｇｏｎａｌ  Ｆｒｅｑｕｅｎｃｙ  Ｄｉｖｉｓｉｏｎ  Ｍｕｌｉｐｌｅｘｉｎｇ）方式は、現在最も有力な次世代無線通信技術として認められている。前記ＯＦＤＭ方式は、多重搬送波（ｍｕｌｔｉ−ｃａｒｒｉｅｒ）を使用してデータを転送する方式である。
【０００３】
前記ＯＦＤＭ方式を使用する場合、基地局は端末が時間同期を獲得して基地局を区分し得るよう、予め約束された形の信号を送信する。ここで、前記予め約束された形の信号はシステムによって多様な名称で呼ばれてもよく、例えば、プリアンブル（Ｐｒｅａｍｂｌｅ）と称される。即ち、端末は基地局から受信されるプリアンブルを介して基地局との時間同期を獲得し、自らが属している基地局を区分し得る。この際、前記プリアンブル送信されるリソースの位置は、前記基地局と端末との間に予め規約されている。例えば、ＯＦＤＭ技術を標準規格として採択しているＩＥＥＥ（Ｉｎｓｉｔｉｔｕｔｅ  Ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｍ規格によると、ＰＡ（Ｐｒｉｍａｒｙ  Ａｄｖａｎｃｅ）プリアンブル及びＳＡプリアンブルが定義されている。前記ＰＡプリアンブルは時間同期のために使用され、前記ＳＡプリアンブルは基地局の区分のために使用される。前記ＳＡプリアンブルは、多数のサブブロック（ｓｕｂｂｌｏｃｋ）などを含んで構成される。
【０００４】
前記プリアンブルを送信するに当たって、基地局が多数の送信アンテナを使用する場合、プリアンブルをどのアンテナを介して送信するべきか、そしてプリアンブルのサブブロックをアンテナ別にどのように分配するのかに対する適切な政策が必要となる。なぜならば、前記サブブロックの分配によって各アンテナの最大送信電力の活用可否が決定され、これによって各サブブロックに対する送信電力の不均衡が発生し得るためである。従って、多数の送信アンテナを使用する基地局において、プリアンブルのサブブロックのアンテナ別分配に対する効果的な代案が提示されるべきである。
【発明の概要】
【発明が解決しようとする課題】
【０００５】
本発明の目的は、上述した問題点及び短所を解決するためのものであり、以下のような利点のうち少なくとも一つを提供する。従って、本発明の目的は、広帯域無線通信システムにおける基地局識別のためのプリアンブル（ｐｒｅａｍｂｌｅ）の転送効率を増大させるための装置及びその方法を提供することにある。
【０００６】
本発明の更に他の目的は、広帯域無線通信システムにおける基地局識別のためのプリアンブルのサブブロックを多数のアンテナに分配するための装置及びその方法を提供することにある。
【課題を解決するための手段】
【０００７】
本発明の目的を達成するための本発明の第１見地によると、広帯域無線通信システムにおけるプリアンブルの送信方法が提供される。前記方法は、送信帯域幅によって前記プリアンブルとしてのシーケンスを決定する過程と、前記プリアンブルの送信に使用される多数の送信アンテナに前記シーケンスに含まれるサブブロックを割り当てる際、各アンテナに割り当てられるサブブロックの個数が連続した２個の整数の範囲に属するように割り当てる過程と、前記サブブロックの割当結果に応じて前記多数の送信アンテナを介して前記プリアンブルを送信する過程を含む。
【０００８】
本発明の目的を達成するための本発明の第２見地によると、広帯域無線通信システムにおけるプリアンブルの受信方法が提供される。前記方法は、第１プリアンブルを利用してチャンネル帯域幅を判断する過程と、前記チャンネル帯域幅によって第２プリアンブルのシーケンスに含まれるサブブロックの個数を決定する過程と、前記第１プリアンブルを利用して獲得した時間同期及び前記サブブロックの個数に応じて前記第２プリアンブルを受信する過程を含む。
【０００９】
本発明の目的を達成するための本発明の第３見地によると、広帯域無線通信システムにおけるプリアンブルの送信する送信端装置が提供される。前記装置は、送信帯域幅によって前記プリアンブルとしてのシーケンスを決定する生成機と、前記プリアンブルの送信に使用される多数の送信アンテナに前記シーケンスに含まれるサブブロックを割り当てる際、各アンテナに割り当てられるサブブロックの個数が連続した２個の整数の範囲に属するように割り当てる割当機と、前記サブブロックの割当結果に応じて前記多数の送信アンテナを介して前記プリアンブルを送信する送信機を含む。
【００１０】
本発明の目的を達成するための本発明の第４見地によると、広帯域無線通信システムにおけるプリアンブルを受信する受信端装置が提供される。前記装置は、第１プリアンブルを利用してチャンネル帯域幅を判断し、前記チャンネル帯域幅によって第２プリアンブルのシーケンスに含まれるサブブロックの個数を決定する制御部と、前記第１プリアンブルを利用して獲得した時間同期及び前記サブブロックの個数に応じて前記第２プリアンブルを受信する受信機を含む。
【００１１】
本発明の他の見地、利益、主な特徴は、以下に添付された本発明の実施形態及び図面と共に説明される詳細な説明から当業者によって明白に認識されるはずである。
【００１２】
本発明の実施形態による本発明の上述した見地（ａｓｐｅｃｔ）及び他の見地、特徴、利益は、以下のような図面と共に説明される詳細な説明から明白に認識されるはずである。
【図面の簡単な説明】
【００１３】
【図１】本発明の実施形態による広帯域無線通信システムにおけるＳＡプリアンブルの構成を示す図である。
【図２】本発明の実施形態による広帯域無線通信システムにおいて、ＴＤが使用される場合のＳＡプリアンブルの構成を示す図である。
【図３】本発明の実施形態による広帯域無線通信システムにおける送信アンテナ別ＳＡプリアンブルサブブロックの割当を示す図である。実施形態実施形態実施形態
【図４】本発明の実施形態による広帯域無線通信システムにおけるＳＡプリアンブルを転送する手順を示す図である。
【図５】本発明によるＳＡプリアンブルを送信する送信端のブロック構成を示す図である。
【図６】本発明の実施形態による広帯域無線通信システムにおけるＳＡプリアンブルを受信する手順を示す図である。
【図７】本発明によるＳＡプリアンブルを受信する受信端のブロック構成を示す図である。
【発明を実施するための形態】
【００１４】
前記図面において、参照番号は同じ又は類似した要素、特徴、構造を説明するために使用される。
【００１５】
以下、図面を参考した説明は、特許請求の範囲及びこれと同等なものによって定義される本発明の実施形態の包括的な理解を助けるために提供される。以下の説明は、理解を助けるために多様な具体的な細部事項を含むが、単なる例示として取り扱われるのみである。従って、本発明の思想や範囲を逸脱しない範囲内で実施形態の多様な変形及び修正が可能であるというのはもちろんである。また、広く知られている機能及び構造の説明は、明確性のために省略する。
【００１６】
広帯域無線通信システムにおける基地局識別のためのプリアンブルサブブロックなどを多数のアンテナに分配するための技術を説明する。以下、本発明は広帯域無線通信システムがＩＥＥＥ８０２．１６ｍ標準に従うと仮定して説明したが、ＯＦＤＭを使用する他の広帯域無線通信システムにも本発明は同じく適用され得る。また、説明の便宜のため、本発明は前記基地局識別のためのプリアンブルをＳＡプリアンブルと称するが、具体的な実施形態によって他の名称で称されてもよい。
【００１７】
ＯＦＤＭ方式に従う送信端はＩＦＦＴ（Ｉｎｖｅｒｓｅ  Ｆａｓｔ  Ｆｏｕｒｉｅｒ  Ｔｒａｎｓｆｏｒｍ）演算を介して送信ＯＦＤＭシンボルを生成し、受信端はＦＦＴ（Ｆａｓｔ  Ｆｏｕｒｉｅｒ  Ｔｒａｎｓｆｏｒｍ）演算を介して受信ＯＦＤＭシンボルを副搬送波別信号に変換する。この際、ＩＦＦＴ／ＦＦＴ演算のサイズは副搬送波の個数と同じである。また、一般的に、前記ＩＦＦＴ／ＦＦＴ演算のサイズは帯域幅と比例する。従って、前記ＩＦＦＴ／ＦＦＴ演算のサイズは帯域幅を意味することとして使用されることもある。
【００１８】
以下の説明において、本発明は、帯域幅が５ＭＨｚである場合のＦＦＴのサイズは５１２、帯域幅が１０ＭＨｚである場合のＦＦＴのサイズは１０２４、帯域幅が２０ＭＨｚである場合のＦＦＴのサイズは２０４８であると仮定する。また、以下の説明において、ＦＦＴのサイズ及び帯域幅は同じ意味として混用されて使用される。
【００１９】
図１は、本発明の実施形態による広帯域無線通信システムにおけるＳＡプリアンブルの構成を示している。
【００２０】
前記図１に示したように、ＦＦＴのサイズが５１２である場合、ＳＡプリアンブル１００は８個のサブブロック［ＡＢＣＤ  ＥＦＧＨ］で構成される。各サブブロックは一定個数のシンボルで構成される。例えば、前記各サブブロックは、長さ１８のＱＰＳＫ（Ｑｕａｄｒａｔｕｒｅ  Ｐｈａｓｅ  Ｓｈｉｆｔ  Ｋｅｙｉｎｇ）シーケンスで構成される。
【００２１】
前記ＦＦＴのサイズが拡張される場合、拡張されたＦＦＴのサイズのためのＳＡプリアンブル１１０，１２０はサイズが５１２であるＦＦＴのためのＳＡプリアンブル１００に含まれるサブブロックが反復される構造を有する。言い換えると、帯域幅が拡張される場合、拡張された帯域幅のためのＳＡプリアンブル１１０，１２０は５ＭＨｚのためのＳＡプリアンブル１００に含まれるサブブロックが反復される構造を有する。例えば、サイズが１０２４であるＦＦＴのためのＳＡプリアンブル１１０は前記サイズが５１２のＦＦＴのためのＳＡプリアンブル１００に含まれる８個のサブブロックが１回反復される構造を有する。また、サイズが２０４８であるＦＦＴのためのＳＡプリアンブル１２０は前記サイズが５１２であるＦＦＴのためのＳＡプリアンブル１００に含まれる８個のサブブロックが３回反復される構造を有する。
【００２２】
一般的に、システムで支援するＦＦＴのサイズは２倍ずつ増加する。例えば、５１２の次のサイズは１０２４、１０２４の次のサイズは２０４８として定義される。これによって、システムは５ＭＨｚの帯域幅を使用するときサイズが５１２であるＦＦＴを使用し、１０ＭＨｚの帯域幅を使用するときサイズが１０２４であるＦＦＴを使用して同じ副搬送波間隔を維持する。しかし、２の倍数で増加しない帯域幅、例えば、８．７５ＭＨｚの帯域幅を使用する場合、送信端は５ＭＨｚ又は１０ＭＨｚの帯域幅を使用するときの副搬送波間隔と同じ副搬送波間隔でサイズが１０２４であるＦＦＴを使用することができない。この際、システムはＴＤ（Ｔｏｎｅ  Ｄｒｏｐｐｉｎｇ）を使用することで、同じ副搬送波間隔（ｓｕｂ  ｃａｒｒｉｅｒ  ｓｐａｃｉｎｇ）が維持され得る。
【００２３】
前記ＴＤはサブブロックの一部をＳＡプリアンブルから除外させることで、帯域幅に合うＳＡプリアンブルサブブロックを選択する技術である。例えば、８．７５ＭＨｚを使用する送信端は１０ＭＨｚから８．７５ＭＨｚ帯域に対応される位置のサブブロックのみを転送し、残りの位置のサブブロックは転送しないことで、１０ＭＨｚ帯域幅を使用するときと同じ副搬送波間隔を維持することができる。即ち、送信端は１０ＭＨｚ帯域幅のための１６個のサブブロックのうち８．７５ＭＨｚ帯域幅に該当する一部のサブブロックのみを取って副搬送波間隔を維持してもよい。
【００２４】
前記ＴＤ技法が使用される場合、送信端は図２に示したように構成されるＳＡプリアンブルを使用してもよい。図２は、本発明の実施形態による広帯域無線通信システムにおいて、ＴＤが使用される場合のＳＡプリアンブルの構成を示している。
【００２５】
前記図２に示したようにＦＦＴのサイズが５１２である場合、ＳＡプリアンブル２００は８個のサブブロック［ＡＢＣＤ  ＥＦＧＨ］で構成される。また、前記ＦＦＴのサイズが１０２４である場合、前記ＳＡプリアンブル２１０は１６個のサブブロックを含む。また、前記ＦＦＴのサイズが２０４８である場合、前記ＳＡプリアンブル２２０は３２個のサブブロックを含む。しかし、５ＭＨｚ超過１０ＭＨｚ未満である帯域幅を使用する場合、ＳＡプリアンブルは前記サイズが５１２であるＦＦＴのためのＳＡプリアンブル２００からＤＣ（Ｄｉｒｅｃｔ  Ｃｕｒｒｅｎｔ）副搬送波を中心に両端方向にサブブロックを追加しながら構成される。言い換えると、５ＭＨｚ超過１０ＭＨｚ未満である帯域幅のためのＳＡプリアンブルは前記帯域幅より大きい最小の正規チャンネル帯域幅である１０ＭＨｚのためのシーケンスから最外郭帯域に位置した一部のサブブロックを除外させることで構成される。例えば、帯域幅が５ＭＨｚを超過して６．２５ＭＨｚ以下である１番目の場合を考えてみよう。この場合、ＳＡプリアンブル２０２は前記サイズが５１２であるＦＦＴのＳＡプリアンブル２００を構成するサブブロックから両端に一つずつサブブロックを追加して構成される。言い換えると、前記ＳＡプリアンブル２０２は前記サイズが１０２４であるＦＦＴのためのシーケンスから最外郭帯域に位置する一部のサブブロックを除外させることで構成される。他の例を挙げて、帯域幅が６．２５ＭＨｚを超過して７．５ＭＨｚ以下である２番目の場合を考えてみよう。この場合、ＳＡプリアンブル２０４は前記サイズが５１２であるＦＦＴのＳＡプリアンブル２００を構成するサブブロックから両端に２つずつサブブロックを追加して構成される。更に他の例を挙げて、前記１番目の場合で帯域幅が７．５ＭＨｚを超過して１０ＭＨｚ未満である場合を考えてみよう。この場合、ＳＡプリアンブル２０６は前記サイズが５１２であるＦＦＴのＳＡプリアンブル２００を構成するサブブロックから両端に３つずつサブブロックを追加して構成される。この際、５ＭＨｚ、１０ＭＨｚ、２０ＭＨｚのように基準となる帯域幅の正規チャンネル帯域幅（ｒｅｇｕｌａｒ  ｃｈａｎｎｅｌ  ｂａｎｄｗｉｄｔｈ）とし、それ以外の帯域幅を非正規チャンネル帯域幅（ｉｒｒｅｇｕｌａｒ  ｃｈａｎｎｅｌ  ｂａｎｄｗｉｄｔｈ）とする。
【００２６】
例えば、多様な非正規チャンネル帯域幅に割り当てられるＳＡプリアンブルのサブブロックは、下記＜表１＞のようになる。
【００２７】
【表１】
2013514712.tif 000003
【００２８】
ＴＤ技法によって非正規チャンネルに割り当てられる全体ＳＡプリアンブルサブブロックの個数及び種類を決定する方法は前記＜表１＞による。即ち、非正規チャンネル帯域幅が与えられると、基地局は前記非正規帯域幅が含まれる帯域幅の範囲を前記＜表１＞によって決定し、既帯域幅に割り当てられる全体ＳＡプリアンブルサブブロックの個数及び種類を決定する。この際、前記基地局が多数の送信アンテナを使用する場合、決定されたサブブロックを各送信アンテナに分配する手順が追加的に行われる。前記決定されたサブブロックの分配は、以下のように行われる。
【００２９】
まず、各アンテナに割り当てられるサブブロックの個数は、下記＜数１＞のように決定される。
【００３０】
【数１】
2013514712.tif 000004
【００３１】
前記＜数１＞において、前記Ｎｓｔ，ｋはアンテナｋに割り当てられるサブブロックの個数、前記Ｎｓｊは非正規チャンネル帯域幅のための総サブブロックの個数、前記Ｎｔは送信アンテナの個数、前記ｋはアンテナインデックスを意味する。前記ｋは０，１，…，Ｎｔ−１の値を有する。
【００３２】
前記＜数１＞を介してアンテナ別サブブロックの個数を決定することで、各アンテナに割り当てられるサブブロックの個数は全て同じであるか、連続した２個の整数の範囲に置かれるようになる。即ち、決められた総サブブロックの個数において、各アンテナに割り当てられるサブブロックの個数は最大限均等な分布を有する。
【００３３】
次に、各アンテナに割り当てられるサブブロックの位置は以下のように決定される。Ｎｓｊ個のサブブロックを周波数軸の左側から０，１，…，Ｎｓｊ−１にインデキシングする際、アンテナｋに割り当てられるサブブロックのインデックスは下記＜数２＞のように決定される。
【００３４】
【数２】
2013514712.tif 000005
【００３５】
前記＜数２＞において、ｔは０乃至Ｎｓｔ，ｋ−１の範囲の整数、前記Ｎｓｔ，ｉはアンテナｉに割り当てられたサブブロックの個数を意味する。但し、Ｎｓｔ，−１は０である。
【００３６】
前記＜数１＞及び前記＜数２＞によるアンテナ別サブブロック割当の具体的な例は以下のようである。図３（Ａ）乃至図３（Ｄ）は、本発明の実施形態による広帯域無線通信システムにおける送信アンテナ別ＳＡプリアンブルサブブロックの割当を示している。前記図３は、１２ＭＨｚの非正規チャンネル帯域幅でＴＤ技法によって正規チャンネル帯域幅２０ＭＨｚと同じ副搬送波間隔を維持することを仮定する。この場合、前記＜表１＞によると、ＳＡプリアンブルはサブブロック［Ｄ  ＥＦＧＨ  ＡＢＣＤ  Ｅ］を含む。
【００３７】
送信アンテナが一個である場合、前記アンテナ別サブブロック割当手順は省略され、前記図３（Ａ）のように前記サブブロック［Ｄ  ＥＦＧＨ  ＡＢＣＤ  ＥＦＧＨ  ＡＢＣＤ  Ｅ］が全て一つの送信アンテナに割り当てられる。
【００３８】
送信アンテナが２個である場合、前記＜数１＞及び前記＜数２＞によるアンテナ別サブブロック割当手順が行われる。前記＜数１＞のＮｔに２、Ｎｓｊに１８を代入すると、各アンテナに割り当てられるサブブロックの個数は９と決定される。そして、前記＜数２＞によってアンテナ０に割り当てられるサブブロックのインデックスは０乃至８、アンテナ１に割り当てられるサブブロックのインデックスは９乃至１７と決定される。結果的に、前記図３（Ｂ）のようにアンテナ別サブブロックの割当が行われる。
【００３９】
送信アンテナが４個である場合、前記＜数１＞及び前記＜数２＞によるアンテナ別サブブロック割当手順が行われる。前記＜数１＞のＮｔに４、Ｎｓｊに１８を代入すると、Ｎｓｔ，０は４、Ｎｓｔ，１は５、Ｎｓｔ，２は５、Ｎｓｔ，３は４と決定される。そして、前記＜数２＞によってアンテナ０に割り当てられるサブブロックのインデックスは０乃至３、アンテナ１に割り当てられるサブブロックのインデックスは４乃至８、アンテナ２に割り当てられるサブブロックのインデックスは９乃至１３、アンテナ３に割り当てられるサブブロックのインデックスは１４乃至１７と決定される。結果的に、前記図３（Ｃ）のようにアンテナ別サブブロックの割当が行われる。
【００４０】
送信アンテナが８個である場合、前記＜数１＞及び前記＜数２＞によるアンテナ別サブブロック割当手順が行われる。前記＜数１＞のＮｔに8、Ｎｓｊに１８を代入すると、Ｎｓｔ，０は２、Ｎｓｔ，１は２、Ｎｓｔ，２は２、Ｎｓｔ，３は３、Ｎｓｔ，４は３、Ｎｓｔ，５は２、Ｎｓｔ，６は２、Ｎｓｔ，７は２と決定される。そして、前記＜数２＞によってアンテナ０に割り当てられるサブブロックのインデックスは０及び１、アンテナ１に割り当てられるサブブロックのインデックスは２及び３、アンテナ２に割り当てられるサブブロックのインデックスは４及び５、アンテナ３に割り当てられるサブブロックのインデックスは６及び８、アンテナ４に割り当てられるサブブロックのインデックスは９及び１１、アンテナ５に割り当てられるサブブロックのインデックスは１２及び１３、アンテナ６に割り当てられるサブブロックのインデックスは１４及び１５、アンテナ７に割り当てられるサブブロックのインデックスは１６及び１７と決定される。結果的に、前記図３（Ｄ）のようにアンテナ別サブブロックの割当が行われる。
【００４１】
以下、本発明は、上述したようにＳＡプリアンブルを送信する送信端の動作及び構成を、図面を参照して詳細に説明する。
【００４２】
図４は、本発明の実施形態による広帯域無線通信システムにおけるＳＡプリアンブルを転送する手順を示している。
【００４３】
前記図４を参照すると、送信端はステップ４０１でＳＡプリアンブルとして使用するシーケンスを決定する。即ち、送信端は自らの識別のための基本シーケンスとして最小単位の帯域幅のための８個のサブブロックをセーブしており、前記ＳＡプリアンブルを送信する帯域幅によって前記セーブされたサブブロックを利用してＳＡプリアンブルシーケンスを決定する。例えば、５ＭＨｚの帯域幅を使用する場合、前記送信端は前記８個のサブブロックで構成されたシーケンスを決定する。また、前記５ＭＨｚより大きい正規チャンネル帯域幅を使用する場合、前記送信端は前記図１のように前記８個のサブブロックが反復される構造を有するシーケンスを決定する。又は、非正規チャンネル帯域幅を使用する場合、前記送信端はＴＤ技法によって前記＜表１＞に示したようなシーケンスを決定する。即ち、前記送信端はＤＣ副搬送波を中心に周波数軸の両端方向にサブブロック単位で拡張されてＳＡプリアンブルシーケンスを決定する。言い換えると、前記送信端は前記非正規チャンネル帯域幅より大きい最小の正規チャンネル帯域幅のためのシーケンスから最外郭帯域に位置した一部のサブブロックを除外させることでシーケンスを決定する。
【００４４】
前記ＳＡプリアンブルシーケンスを決定した後、前記送信端はステップ４０３に進行し、前記ＳＡプリアンブルを多数の送信アンテナを介して送信するのかを判断する。即ち、前記送信端は多数の送信アンテナを具備しており、具備された多数の送信アンテナの全部又は一部を介して前記ＳＡプリアンブルを送信する。前記具備された多数の送信アンテナのうち使用されるアンテナの個数はチャンネル状況、端末の受信能力など、多様な要因によって決定されてもよく、本発明はこれに限ることはない。もし、前記ＳＡプリアンブルを一つの送信アンテナを介して送信すると、前記送信端はステップ４０７に進行する。
【００４５】
一方、前記ＳＡプリアンブルを多数の送信アンテナを介して送信すると、前記送信端はステップ４０５に進行し、アンテナ別ＳＡプリアンブルサブブロックを割り当てる。言い換えると、前記送信端は、前記ステップ４０１で決定されたＳＡプリアンブルに含まれたサブブロックを各送信アンテナに分配する。この際、前記送信端は、各アンテナに割り当てられるサブブロックの個数が最大限均等な分布を有するよう、言い換えると、アンテナ別に割り当てられるサブブロックの個数が全て同じであるか又は連続した２個の整数の範囲に置かれるよう、前記サブブロックを割り当てる。例えば、前記送信端は、前記＜数１＞によってアンテナ別サブブロックの個数を決定し、前記＜数２＞によってアンテナ別サブブロックの位置を決定する。
【００４６】
次に、前記送信端はステップ４０７に進行し、アンテナ別サブブロックで構成されるＳＡプリアンブルシーケンスにカバーリングシーケンスをかける。前記カバーリングシーケンスの倍は、信号のＰＡＰＲ（Ｐｅａｋ  ｔｏ  Ａｖｅｒａｇｅ  Ｐｏｗｅｒ  Ｒａｔｉｏ）を減少させるためのものであり、具体的な実施形態によって省略され得る。前記送信端は、多数のカバーリングシーケンスをセーブしており、セーブされたシーケンスのうち送信されるＳＡプリアンブルの形態に対応されるシーケンスを前記ＳＡプリアンブルシーケンスにかける。例えば、前記カバーリングシーケンスはＦＦＴのサイズ、送信アンテナの個数、ＳＡプリアンブルサブブロックの位置及び個数などによって決定される。
【００４７】
次に、前記送信端はステップ４０９に進行し、前記ＳＡプリアンブルの少なくとも一つのＯＦＤＭシンボルを生成する。即ち、前記送信端は前記ＳＡプリアンブルシーケンスに対してＩＦＦＴ演算を行うことで時間領域信号を生成し、ＣＰ（Ｃｙｃｌｉｃ  Ｐｒｅｆｉｘ）を挿入することでＯＦＤＭシンボルを生成する。この際、前記送信アンテナが一つである場合、前記送信端は一つのＩＦＦＴ演算を介してシーケンス全体から一つのＯＦＤＭシンボルを生成する。一方、前記送信アンテナが多数である場合、前記送信端はアンテナ別シーケンスからサブブロックがマッピングされない副搬送波にナル（Ｎｕｌｌ）を挿入し、送信アンテナの個数ほどのＩＦＦＴ演算を介してアンテナ別シーケンスそれぞれから多数のＯＦＤＭシンボルを生成する。
【００４８】
次に、前記送信端はステップ４１１に進行し、前記ＳＡプリアンブルを送信する。即ち、前記送信端は前記ＳＡプリアンブルの少なくとも一つのＯＦＤＭシンボルをＲＦ（Ｒａｄｉｏ  Ｆｒｅｑｕｅｎｃｙ）帯域信号に上向き変更した後、少なくとも一つの送信アンテナを介して前記ＳＡプリアンブルを送信する。
【００４９】
前記図４を参照して説明した本発明の実施形態において、送信端は一定演算を行うことでアンテナ別サブブロックの個数及び位置を決定する。しかし、本発明の他の実施形態によって、予め定義されたルックアップテーブル（ｌｏｏｋ−ｕｐ  ｔａｂｌｅ）を利用して前記アンテナ別サブブロックの個数及び位置を決定してもよい。この場合、前記送信端はアンテナの個数及び帯域幅をルックアップパラメータとして使用するアンテナ別サブブロックの個数及び位置に対するテーブルをセーブしており、前記テーブルを検索することで使用されるアンテナの個数及び帯域幅に対応されるアンテナ別サブブロックの個数及び位置を決定する。
【００５０】
図５は、本発明によるＳＡプリアンブルを送信する送信端のブロック構成を示している。
【００５１】
前記図５に示したように、前記送信端は貯蔵部５０２、プリアンブル生成機５０４、サブブロック割当機５０６、カバーリング処理機５０８、多数の副搬送波マッピング機５１０−１乃至５１０−Ｎ、多数のＯＦＤＭ変調機５１２−１乃至５１２−Ｎ、多数のＲＦ送信機５１４−１乃至５１４−Ｎを含んで構成される。
【００５２】
前記貯蔵部５０２は、前記送信端がＳＡプリアンブルを送信するために必要なデータをセーブする。即ち、前記貯蔵部５０２は、前記送信端の識別のための基本シーケンスとして最小単位帯域幅のためのＳＡプリアンブルを構成する８個のサブブロック及びカバーリングシーケンスをセーブする。
【００５３】
前記プリアンブル生成機５０４は、ＳＡプリアンブルとして使用するシーケンスを生成する。即ち、前記プリアンブル生成機５０４は、前記ＳＡプリアンブルを送信する帯域幅によって前記貯蔵部５０２にセーブされた８個のサブブロックを利用し、ＳＡプリアンブルシーケンスを生成する。例えば、５ＭＨｚの帯域幅を使用する場合、前記プリアンブル生成機５０４は前記８個のサブブロックで構成されたシーケンスを生成する。又は、前記５ＭＨｚより大きい正規チャンネル帯域幅を使用する場合、前記プリアンブル生成機５０４は前記図１のように前記８個のサブブロックが反復される構造を有するシーケンスを決定する。又は、非正規チャンネル帯域幅を使用する場合、前記プリアンブル生成機５０４はＴＤ技法によって前記＜表１＞に示したようなシーケンスを生成する。即ち、前記プリアンブル生成機５０４はＤＣ副搬送波を中心に周波数軸の両端方向にサブブロック単位で拡張され、ＳＡプリアンブルシーケンスを生成する。
【００５４】
前記サブブロック割当機５０６は前記ＳＡプリアンブルが多数の送信アンテナを介して送信されるのかを判断し、前記ＳＡプリアンブルが一つの送信アンテナを介して送信されると前記プリアンブル生成機５０４から提供されるシーケンスをパイバス（ｂｙｐａｓｓ）し、前記ＳＡプリアンブルが多数の送信アンテナを介して送信されると前記プリアンブル生成機５０４から提供されるシーケンスのサブブロックを送信アンテナに配分する。この際、前記サブブロック割当機５０６は、各アンテナに割り当てられるサブブロックの個数が最大限均等な分布を有するよう、言い換えると、アンテナ別に割り当てられるサブブロックの個数が全て同じであるか又は連続した２個の整数の範囲に置かれるよう、前記サブブロックを割り当てる。例えば、前記サブブロック割当機５０６は、前記＜数１＞によってアンテナ別サブブロックの個数を決定し、前記＜数２＞によってアンテナ別サブブロックの位置を決定する。
【００５５】
前記カバーリング処理機５０８は、アンテナ別サブブロックから構成されるＳＡプリアンブルシーケンスにカバーリングシーケンスをかける。前記カバーリング処理機５０８は信号のＰＡＰＲを減少させる機能のためのものであり、具体的な実施形態によって送信端の構成から排除され得る。前記カバーリング処理機５０８は、前記貯蔵部５０２にセーブされたカバーリングシーケンスのうち送信されるＳＡプリアンブルの形態に対応されるシーケンスを前記ＳＡプリアンブルシーケンスにかける。例えば、前記カバーリングシーケンスはＦＦＴのサイズ、送信アンテナの個数、ＳＡプリアンブルサブブロックの位置及び個数などによって決定される。
【００５６】
前記多数の副搬送波マッピング機５１０−１乃至５１０−Ｎは、前記ＳＡプリアンブルシーケンスを副搬送波にマッピングする。この際、前記ＳＡプリアンブルが多数の送信アンテナを介して送信される場合、各アンテナから一部の副搬送波にのみサブブロックがマッピングされる。この場合、前記多数の副搬送波マッピング機５１０−１乃至５１０−Ｎは、前記サブブロックがマッピングされない副搬送波をナル処理する。前記多数のＯＦＤＭ変調機５１２−１乃至５１２−ＮはＩＦＦＴ演算を介して前記副搬送波にマッピングされたＳＡプリアンブルシーケンスを時間領域信号に変換し、ＣＰを挿入することで前記ＳＡプリアンブルの少なくとも一つのＯＦＤＭシンボルを生成する。前記多数のＲＦ送信機５１４−１乃至５１４−Ｎは、前記少なくとも一つのＯＦＤＭシンボルをＲＦ帯域信号に上向き変換した後、少なくとも一つの送信アンテナを介して前記ＳＡプリアンブルを送信する。
【００５７】
前記図５を参照して説明した本発明の実施形態において、前記サブブロック割当機５０６は一定演算を行うことでアンテナ別サブブロックの個数及び位置を決定する。しかし、本発明の他の実施形態によって、予め定義されたルックアップテーブルを利用して前記アンテナ別サブブロックの個数及び位置を決定してもよい。この場合、前記貯蔵部５０２はアンテナの個数及び帯域幅をルックアップパラメータとして使用するアンテナ別サブブロックの個数及び位置に対するテーブルをセーブしており、前記サブブロック割当機５０６は前記テーブルを検索することで使用されるアンテナの個数及び帯域幅に対応されるアンテナ別サブブロックの個数及び位置を決定する。
【００５８】
図６は、本発明の実施形態による広帯域無線通信システムにおけるＳＡプリアンブルを受信する手順を示している。
【００５９】
前記図６を参照すると、前記受信端はステップ６０１でＰＡプリアンブルを受信する。即ち、前記受信端は受信されるＲＦ帯域の信号を基底帯域サンプルテータに変換し、前記サンプルデータをスライディングウィンドウ方式に相関演算を行う。時間同期のための前記ＰＡプリアンブル信号は時間領域で２回反復されるため、前記受信端は相関演算を介して時間軸から２回反復される信号の位置、即ち、前記ＰＡプリアンブルの送信地点を検出する。
【００６０】
次に、前記受信端はステップ６０３に進行し、前記ＳＡプリアンブルを復号する。即ち、前記受信端はＦＦＴ演算を介して前記ＰＡプリアンブルの時間領域信号から周波数領域の信号を復元した後、前記周波数領域信号を復調する。これを介して、前記受信端は一つのシーケンスを獲得する。ここで、ＰＡプリアンブルを構成するシーケンスは付加情報を示しており、前記受信端は前記付加情報を確認する。例えば、前記ＰＡプリアンブルはチャンネル帯域幅を示してもよい。例えば、前記チャンネル帯域幅及び前記ＰＡプリアンブルシーケンスの関係は下記＜表２＞のようであってもよい。
【００６１】
【表２】
2013514712.tif 000006
【００６２】
前記＜表２＞において、前記「Ｆｕｌｌｙ  ｃｏｎｆｉｇｕｒｅｄ」及び前記「Ｐａｒｔｉａｌｌｙ  ｃｏｎｆｉｇｕｒｅｄ」は搬送波の種類であり、多重搬送波転送を行う場合制御チャンネルの構成を示す。前記「Ｆｕｌｌｙ  ｃｏｎｆｉｇｕｒｅｄ」は同期、ブロードキャスト、マルチキャスト、ユニキャスト制御シグナリングを含む全ての制御チャンネルが構成された搬送波を意味し、多重搬送波動作及び他の搬送波に対する情報が前記制御チャンネルに含まれてもよい。前記「Ｐａｒｔｉａｌｌｙ  ｃｏｎｆｉｇｕｒｅｄ」はＴＤＤ（Ｔｉｍｅ  Ｄｉｖｉｓｉｏｎ  Ｄｕｐｌｅｘ）方式で全的にダウンリンク転送のみのための搬送波又はＦＤＤ（Ｆｒｅｑｕｅｎｃｙ  Ｄｉｖｉｓｉｏｎ  Ｄｕｐｌｅｘ）方式で対応されるアップリンク搬送波を有しないダウンリンク搬送波を意味し、ダウンリンク転送に対する制御チャンネルのみを含むことを意味する。
【００６３】
例えば、１２ＭＨｚの非正規チャンネル帯域を使用するシステムで、前記＜表２＞でインデックス３の予約された（ｒｅｓｅｒｖｅｄ）シーケンスが１２ＭＨｚ周波数帯域に定義された場合、前記ＰＡプリアンブルのシーケンスは、インデックス３の「１６１Ｃ７Ｃ１９ＢＢ２ＦＣ０ＡＤＥ５ＣＥＦ３５４３ＡＣ１Ｂ６ＣＥ６ＢＥ１Ｃ８ＤＣＡＢＤＤＤ３１９ＥＡＦ７」を含む。
【００６４】
そして、前記受信端は獲得されたシーケンスを前記＜表２＞示したシーケンスそれぞれと相関（ｃｏｒｒｅｌａｔｉｏｎ）演算し、最も高い相関値を有するシーケンスを前記送信端から送信されたシーケンスであると判断する。これによって、前記受信端は前記＜表２＞のような情報を介してチャンネル帯域幅を知ることができる。この際、本発明はＰＡプリアンブルがエラーなく受信されることで、インデックス３のシーケンスが最も高い相関値を有するように検出されたと仮定する。
【００６５】
次に、前記受信端はステップ６０５に進行し、検出されたシーケンスに基づいてチャンネル帯域幅を決定する。例えば、インデックス３の「１６１Ｃ７Ｃ１９ＢＢ２ＦＣ０ＡＤＥ５ＣＥＦ３５４３ＡＣ１Ｂ６ＣＥ６ＢＥ１Ｃ８ＤＣＡＢＤＤＤ３１９ＥＡＦ７」に対する相関値が最も大きい場合、前記受信端は前記＜表２＞によってチャンネル帯域幅が１２ＭＨｚであると判断する。
【００６６】
前記チャンネル帯域幅を決定した後、前記受信端はステップ６０７に進行してＳＡプリアンブルに含まれるサブブロックの個数を決定する。ここで、前記ＳＡプリアンブルに含まれるサブブロックの個数は、チャンネル帯域幅によって決定される。即ち、前記受信端は前記＜表１＞のようなチャンネル帯域幅及びＳＡプリアンブルのサブブロックの個数の間における対応情報を利用して前記ＳＡプリアンブルに含まれるサブブロックの個数を決定する。前記＜表１＞によると、前記チャンネル帯域幅が１２ＭＨｚである場合、前記ＳＡプリアンブルに含まれるサブブロックの個数は１８個である。
【００６７】
次に、前記受信端はステップ６０９に進行し、決定された個数のサブブロックを含むＳＡプリアンブルを受信及び復調する。前記ＳＡプリアンブルはフレーム内の予め決められた位置で受信される。前記受信端は前記ＰＡプリアンブルの位置を知っているため、前記ＳＡプリアンブルの位置を判断し得る。従って、前記受信端は判断されたＳＡプリアンブルの位置で受信される信号を復調することで、ＳＡプリアンブルのシーケンスを獲得する。
【００６８】
次に、前記受信端はステップ６１１に進行し、復号されたＳＡプリアンブルを利用してセル識別子（ｃｅｌｌ  ｉｄｅｎｔｉｆｉｅｒ）を獲得する。即ち、前記ＳＡプリアンブルは基地局を区分するための信号であり、セル識別子を示す。従って、前記受信端は前記ＳＡプリアンブルのシーケンスを復号することで、前記セル識別子を決定する。
【００６９】
前記図６を参照して説明した実施形態では１２ＭＨｚの非正規チャンネル帯域を仮定したが、本発明は他のサイズの非正規チャンネル帯域に対しても同じく適用され得る。
【００７０】
前記図６に示したような手順を介して、端末はセル識別子を決定し得る。前記セル識別子を決定した前記端末は該当セルにおけるシステム情報を獲得することができ、これを介してプリアンブルの送信端、即ち、該当セルの基地局のアンテナの個数を確認することができる。これによって、前記端末は前記＜数１＞及び前記＜数２＞を介して各アンテナに割り当てられたＳＡプリアンブルのサブブロックの個数及び位置を判断し得る。
【００７１】
図７は、本発明によるＳＡプリアンブルを受信する受信端のブロック構成を示している。
【００７２】
前記図７に示したように、前記受信端はＲＦ受信機７０２、時間同期検出器７０４、ＯＦＤＭ復調機７０６、副搬送波デマッピング機７０８、シーケンス復調機７１０、制御部７１２を含んで構成される。
【００７３】
前記ＲＦ受信機７０２はアンテナから受信されたＲＦ帯域信号を基底帯域アナログ信号に下向き変換し、前記基底帯域アナログ信号をサンプリングすることでデジタル信号に変換させる。
【００７４】
前記時間同期検出器７０４は、サンプルデータをスライディングウィンドウ方式で相関演算を反復して行うことで時間同期（フレーム同期、スーパーフレーム同期など）を獲得する。言い換えると、前記時間同期検出器７０４はＰＡプリアンブル信号を検出する。時間同期のためのＰＡプリアンブル信号は時間領域で２回反復されるため、前記時間同期検出器７０４は相関演算を介して２回反復される信号の位置を判断する。ここで、前記時間同期（フレーム同期、スーパーフレーム同期など）を時間領域（ｔｉｍｅ  ｄｏｍａｉｎ）から獲得すると説明したが、前記時間同期の獲得は周波数領域で行ってもよい。
【００７５】
前記ＯＦＤＭ復調機７０６は、前記サンプルデータに対するＦＦＴ演算を行うことで周波数領域の信号を復元する。例えば、前記ＯＦＤＭ復調機７０６は前記ＰＡプリアンブルの周波数領域信号を復元し、ＳＡプリアンブルの周波数領域信号を復元する。前記副搬送波デマッピング機７０８は前記周波数領域信号を抽出し、処理単位に分類する。前記ＳＡプリアンブルの周波数領域信号を抽出する場合、前記副搬送波デマッピング機７０８は前記制御部７１２から通知されるＳＡプリアンブルに含まれるサブブロックの個数情報を参考する。
【００７６】
前記シーケンス復調機７１０は前記ＰＡプリアンブルの周波数領域信号及び前記ＳＡプリアンブルの周波数領域信号を送信端から使用された変調方式（例：ＢＰＳＫ）に対応される方式で復調することで、前記ＰＡプリアンブルのシーケンス及び前記ＳＡプリアンブルのシーケンスを生成する。
【００７７】
前記制御部７１２は前記シーケンス復調機７１０から提供されるＰＡプリアンブルのシーケンスを利用してチャンネル帯域幅を判断し、前記チャンネル帯域幅によってＳＡプリアンブルに含まれるサブブロックの個数を判断する。そして、前記制御部７１２は前記サブブロックの個数を前記副搬送波デマッピング機７０８に通知する。例えば、前記制御部７１２は前記＜表２＞のようなマッピング情報をセーブし、前記シーケンス復調機７１０から提供されるＰＡプリアンブルのシーケンスと前記＜表２＞に示した全てのシーケンスとの相関値を計算し、最大の相関値を有するシーケンスに対応されるチャンネル帯域幅を確認する。また、前記制御部７１２は前記＜表１＞のようなマッピング情報をセーブし、前記＜表１＞からチャンネル帯域幅に対応されるサブブロックの個数を確認する。
【００７８】
上述したように、広帯域無線通信システムにおけるＳＡプリアンブルのサブブロックを多数の送信アンテナに最大限均等に割り当てることで、各送信アンテナの送信電力の活用度を最大化することができる。
【００７９】
一方、本発明の詳細な説明では具体的な実施形態について説明したが、本発明の範囲を逸脱しない範囲内で多様な変形が可能である。従って、本発明の範囲は説明された実施形態に限って決められてはならず、後述する特許請求の範囲だけでなく、この特許請求の範囲と均等なものによって決められるべきである。
【符号の説明】
【００８０】
５０２  貯蔵部
５０４  プリアンブル生成機
５０６  サブブロック割当機
５０８  カバーリング処理機
５１０−１〜５１０−Ｎ  副搬送波マッピング機
５１２−１〜５１２−Ｎ  ＯＦＤＭ変調機
５１４−１〜５１４−Ｎ  ＲＦ送信機
【図１】
2013514712.tif 000009
【図２】
2013514712.tif 000010
【図３】
2013514712.tif 000011
【図４】
2013514712.tif 000012
【図５】
2013514712.tif 000013
【図６】
2013514712.tif 000014
【図７】
2013514712.tif 000015
【手続補正書】
【提出日】平成24年6月19日(2012.6.19)
【手続補正１】
【補正対象書類名】特許請求の範囲
【補正対象項目名】全文
【補正方法】変更
【補正の内容】
【特許請求の範囲】
【請求項１】
無線通信システムにおけるプリアンブル送信方法において、
多数の送信アンテナを利用して前記プリアンブルシーケンスを送信する過程を含み、
前記プリアンブルシーケンスは、チャンネル帯域幅に対応した個数のサブブロックで区分され、
前記プリアンブルシーケンスに含まれる前記サブブロックは、送信アンテナの個数及び前記サブブロックの個数のうち少なくとも一つによって前記多数の送信アンテナの各送信アンテナに割り当てられることを特徴とする方法。
【請求項２】
前記サブブロックは、前記各送信アンテナに割り当てられるサブブロックの個数が連続した２個の整数の範囲に属するように割り当てられることを特徴とする請求項１に記載の方法。
【請求項３】
前記多数の送信アンテナのうちｋ番目の送信アンテナに割り当てられるサブブロックの個数は、下記数式によって決定されることを特徴とする請求項１又は請求項２に記載の方法。
【数１】
2013514712.tif 000016
【数２】
2013514712.tif 000017
ここで、前記Ｎｓｔ，ｋはｋ番目の送信アンテナに割り当てられるサブブロックの個数、前記
【数３】
2013514712.tif 000018
は小数点以下の切り捨て演算子で、例えば、
【数４】
2013514712.tif 000019
はｘを超過しない最大の整数を意味し、前記Ｎｓｊは総サブブロックの個数、前記Ｎｔは送信アンテナの個数、前記ｋは送信アンテナインデックスを意味し、前記ｋは０，１，…，Ｎｔ−１の値を有する。
【請求項４】
前記各送信アンテナに割り当てられるサブブロックの位置は、前記多数の送信アンテナそれぞれに連続して位置するサブブロックが割り当てられるように決定されることを特徴とする請求項１乃至請求項３のいずれか一項に記載の方法。
【請求項５】
前記多数の送信アンテナのうちｋ番目のアンテナに割り当てられるサブブロックの位置は、下記数式によって決定されることを特徴とする請求項１乃至請求項４のいずれか一項に記載の方法。
【数５】
2013514712.tif 000020
ここで、ｔは０乃至Ｎｓｔ，ｋ−１範囲の整数、前記Ｎｓｔ，ｉは送信アンテナｉに割り当てられたサブブロックを個数を意味し、Ｎｓｔ，−１は０である。
【請求項６】
前記プリアンブルシーケンスを確認する過程を更に含むことを特徴とする請求項１乃至請求項５のいずれか一項に記載の方法。
【請求項７】
前記プリアンブルシーケンスを送信する過程は、
前記サブブロックを前記各送信アンテナに割り当てる過程と、
前記各送信アンテナに送信されるプリアンブル信号を生成する過程と、
前記多数の送信アンテナを介して前記プリアンブル信号を送信する過程と、を更に含むことを特徴とする請求項１乃至請求項６のいずれか一項に記載の方法。
【請求項８】
前記サブブロックを前記各送信アンテナに割り当てる過程は、
前記各送信アンテナに割り当てられるサブブロックの個数を決定する過程と、
前記各送信アンテナに割り当てられるサブブロックの位置を決定する過程と、を含むことを特徴とする請求項７に記載の方法。
【請求項９】
前記プリアンブルシーケンスを確認する過程は、
前記チャンネル帯域幅が最小の正規チャンネル帯域幅である場合、前記最小の正規チャンネル帯域幅のためのサブブロックを前記プリアンブルシーケンスとして決定する過程と、
前記チャンネル帯域幅が前記最小の正規チャンネル帯域幅ではない正規チャンネル帯域幅である場合、最小帯域幅のためのサブブロックを少なくとも１回反復する構造を有するシーケンスを前記プリアンブルシーケンスとして決定する過程と、
前記チャンネル帯域幅が非正規チャンネル帯域幅である場合、前記チャンネル帯域幅より大きい最小の正規チャンネル帯域幅のためのシーケンスから最外郭帯域に位置する一部のサブブロックを除外させることで前記プリアンブルシーケンスを決定する過程と、
を含むことを特徴とする請求項６乃至請求項８のいずれか一項に記載の方法。
【請求項１０】
前記サブブロックそれぞれは、長さ１８のＱＰＳＫシーケンスで構成されることを特徴とする請求項１乃至請求項９のいずれか一項に記載の方法。
【請求項１１】
前記プリアンブルは、セル識別子を区分するための信号であることを特徴とする請求項１乃至請求項１０のいずれか一項に記載の方法。
【請求項１２】
前記プリアンブルを送信する前に、前記プリアンブルにＰＡＰＲ（Ｐｅａｋ  ｔｏ  Ａｖｅｒａｇｅ  Ｐｏｗｅｒ  Ｒａｔｉｏ）を減少させるためのカバーリングシーケンスをかける過程と、
を更に含むことを特徴とする請求項１乃至請求項１１のいずれか一項に記載の方法。
【請求項１３】
広帯域無線通信システムにおけるプリアンブル受信方法において、
送信端で多数の送信アンテナを介して送信されたプリアンブルシーケンスを受信する過程を含み、
前記プリアンブルシーケンスは、チャンネル帯域幅に対応した個数のサブブロックで区分され、
前記プリアンブルシーケンスに含まれる前記サブブロックは、前記多数の送信アンテナの個数及び前記サブブロックの個数のうち少なくとも一つによって前記多数の送信アンテナの各送信アンテナに割り当てられることを特徴とする方法。
【請求項１４】
前記サブブロックは、前記各送信アンテナに割り当てられるサブブロックの個数が連続した２個の整数の範囲に属するように割り当てられることを特徴とする請求項１３に記載の方法。
【請求項１５】
前記多数の送信アンテナのうちｋ番目のアンテナに割り当てられるサブブロックの個数は、下記数式によって決定されることを特徴とする請求項１３又は請求項１４に記載の方法。
【数６】
2013514712.tif 000021
【数７】
2013514712.tif 000022
ここで、前記Ｎｓｔ，ｋはｋ番目の送信アンテナに割り当てられるサブブロックの個数、前記
【数８】
2013514712.tif 000023
は小数点以下の切り捨て演算子で、例えば、
【数９】
2013514712.tif 000024
はｘを超過しない最大の整数を意味し、前記Ｎｓｊは総サブブロックの個数、前記Ｎｔは送信アンテナの個数、前記ｋは送信アンテナインデックスを意味し、前記ｋは０，１，…，Ｎｔ−１の値を有する。
【請求項１６】
前記各送信アンテナに割り当てられるサブブロックの位置は、前記多数の送信アンテナそれぞれに連続して位置するサブブロックが割り当てられるように決定されることを特徴とする請求項１３乃至請求項１５のいずれか一項に記載の方法。
【請求項１７】
前記多数の送信アンテナのうち前記ｋ番目の送信アンテナに割り当てられるサブブロックの位置は、下記数式によって決定されることを特徴とする請求項１３乃至請求項１６のいずれか一項に記載の方法。
【数１０】
2013514712.tif 000025
ここで、ｔは０乃至Ｎｓｔ，ｋ−１範囲の整数、前記Ｎｓｔ，ｉは送信アンテナｉに割り当てられたサブブロックを個数を意味し、Ｎｓｔ，−１は０である。
【請求項１８】
無線通信システムにおけるプリアンブルを送信する送信端装置において、
多数の送信アンテナを利用して前記プリアンブルシーケンスを送信する送信機を含み、
前記プリアンブルシーケンスは、チャンネル帯域幅に対応した個数のサブブロックで区分され、
前記プリアンブルシーケンスに含まれる前記サブブロックは、送信アンテナの個数及び前記サブブロックの個数のうち少なくとも一つによって前記多数の送信アンテナの各送信アンテナに割り当てられることを特徴とする装置。
【請求項１９】
前記サブブロックは、前記各送信アンテナに割り当てられるサブブロックの個数が連続した２個の整数の範囲に属するように割り当てられることを特徴とする請求項１８に記載の装置。
【請求項２０】
前記多数の送信アンテナのうちｋ番目の送信アンテナに割り当てられるサブブロックの個数は、下記数式によって決定されることを特徴とする請求項１８又は請求項１９に記載の装置。
【数１１】
2013514712.tif 000026
【数１２】
2013514712.tif 000027
ここで、前記Ｎｓｔ，ｋはｋ番目の送信アンテナに割り当てられるサブブロックの個数、前記
【数１３】
2013514712.tif 000028
は小数点以下の切り捨て演算子で、例えば、
【数１４】
2013514712.tif 000029
はｘを超過しない最大の整数を意味し、前記Ｎｓｊは総サブブロックの個数、前記Ｎｔは送信アンテナの個数、前記ｋは送信アンテナインデックスを意味し、前記ｋは０，１，…，Ｎｔ−１の値を有する。
【請求項２１】
前記各送信アンテナに割り当てられるサブブロックの位置は、前記多数の送信アンテナそれぞれに連続して位置するサブブロックが割り当てられるように決定されることを特徴とする請求項１８乃至請求項２０のいずれか一項に記載の装置。
【請求項２２】
前記多数の送信アンテナのうち前記ｋ番目の送信アンテナに割り当てられるサブブロックの位置は、下記数式によって決定されることを特徴とする請求項１８乃至請求項２１のいずれか一項に記載の装置。
【数１５】
2013514712.tif 000030
ここで、ｔは０乃至Ｎｓｔ，ｋ−１範囲の整数、前記Ｎｓｔ，ｉは送信アンテナｉに割り当てられたサブブロックを個数を意味し、Ｎｓｔ，−１は０である。
【請求項２３】
前記プリアンブルシーケンスを確認する生成機を更に含むことを特徴とする請求項１８乃至請求項２２のいずれか一項に記載の装置。
【請求項２４】
前記サブブロックを各送信アンテナに割り当てる割当機と、
前記各送信アンテナに送信されるプリアンブル信号を生成する変調機と、を更に含み、
前記送信機は、前記多数の送信アンテナを介して前記プリアンブル信号を送信することを特徴とする請求項１８乃至請求項２３のいずれか一項に記載の装置。
【請求項２５】
前記割当機は、前記各送信アンテナに割り当てられるサブブロックの個数を決定し、前記各送信アンテナに割り当てられるサブブロックの位置を決定することを特徴とする請求項２４に記載の装置。
【請求項２６】
前記生成機は、
前記チャンネル帯域幅が最小の正規チャンネル帯域幅である場合、前記最小の正規チャンネル帯域幅のためのサブブロックを前記プリアンブルシーケンスとして決定し、
前記チャンネル帯域幅が前記最小の正規チャンネル帯域幅ではない正規チャンネル帯域幅である場合、最小帯域幅のためのサブブロックを少なくとも１回反復する構造を有するシーケンスを前記プリアンブルシーケンスとして決定し、
前記チャンネル帯域幅が非正規チャンネル帯域幅である場合、前記チャンネル帯域幅より大きい最小の正規チャンネル帯域幅のためのシーケンスから最外郭帯域に位置する一部のサブブロックを除外させることで前記プリアンブルシーケンスを決定することを特徴とする請求項２３乃至請求項２５のいずれか一項に記載の装置。
【請求項２７】
前記サブブロックそれぞれは、長さ１８のＱＰＳＫシーケンスで構成されることを特徴とする請求項１８乃至請求項２６のいずれか一項に記載の装置。
【請求項２８】
前記プリアンブルは、セル識別子を区分するための信号であることを特徴とする請求項１８乃至請求項２７のいずれか一項に記載の装置。
【請求項２９】
前記プリアンブルを送信する前に、前記プリアンブルにＰＡＰＲを減少させるためのカバーリングシーケンスをかけるカバーリング処理機と、
を更に含むことを特徴とする請求項１８乃至請求項２８のいずれか一項に記載の装置。
【請求項３０】
無線通信システムにおけるプリアンブルを受信する受信端装置において、
送信端で多数の送信アンテナを介して送信されたプリアンブルシーケンスを受信する受信機を含み、
前記プリアンブルシーケンスは、チャンネル帯域幅に対応した個数のサブブロックで区分され、
前記プリアンブルシーケンスに含まれる前記サブブロックは、前記多数の送信アンテナの個数及び前記サブブロックの個数のうち少なくとも一つによって前記多数の送信アンテナの各送信アンテナに割り当てられることを特徴とする装置。
【請求項３１】
前記サブブロックは、各送信アンテナに割り当てられるサブブロックの個数が連続した２個の整数の範囲に属するように割り当てられることを特徴とする請求項３０に記載の装置。
【請求項３２】
前記多数の送信アンテナのうちｋ番目の送信アンテナに割り当てられるサブブロックの個数は、下記数式によって決定されることを特徴とする請求項３０又は請求項３１に記載の装置。
【数１６】
2013514712.tif 000031
【数１７】
2013514712.tif 000032
ここで、前記Ｎｓｔ，ｋはｋ番目の送信アンテナに割り当てられるサブブロックの個数、前記
【数１８】
2013514712.tif 000033
は小数点以下の切り捨て演算子で、例えば、
【数１９】
2013514712.tif 000034
はｘを超過しない最大の整数を意味し、前記Ｎｓｊは総サブブロックの個数、前記Ｎｔは送信アンテナの個数、前記ｋは送信アンテナインデックスを意味し、前記ｋは０，１，…，Ｎｔ−１の値を有する。
【請求項３３】
前記多数の送信アンテナの各送信アンテナに割り当てられるサブブロックの位置は、前記多数の送信端のアンテナそれぞれに連続して位置するサブブロックが割り当てられるように決定されることを特徴とする請求項３０乃至請求項３２のいずれか一項に記載の装置。
【請求項３４】
前記多数の送信アンテナのうちｋ番目の送信アンテナに割り当てられるサブブロックの位置は、下記数式によって決定されることを特徴とする請求項３０乃至請求項３３のいずれか一項に記載の装置。
【数２０】
2013514712.tif 000035
ここで、ｔは０乃至Ｎｓｔ，ｋ−１範囲の整数、前記Ｎｓｔ，ｉは送信アンテナｉに割り当てられたサブブロックを個数を意味し、Ｎｓｔ，−１は０である。
【国際調査報告】
2013514712.tif 000036
2013514712.tif 000037